(57)【特許請求の範囲】
【請求項１】
コンテンツの再生処理を行うコンテンツ処理手段を具備するコンテンツ処理装置であって、
再生対象となった前記コンテンツの記録ビットレートを判別する判別手段と、
前記判別手段により判別された前記コンテンツの記憶ビットレートが所定ビットレート以上か否かに応じて、前記コンテンツの再生中における当該装置での割込み処理を禁止するか否かを制御する割込制御手段と、
を具備することを特徴とするコンテンツ処理装置。
【請求項２】
前記コンテンツの再生処理の一時停止が指示された際は、当該コンテンツの再生処理を一時停止すると共に、前記割込制御手段による割込み禁止の制御を解除し、前記割込みを有効とするよう制御するようにしたことを特徴とする請求項１記載のコンテンツ処理装置。
【請求項３】
コンテンツの記録処理を行うコンテンツ処理手段を具備するコンテンツ処理装置であって、
前記コンテンツを記録する際の記録ビットレートを判別する判別手段と、
前記判別手段により判別される記憶ビットレートが所定ビットレート以上か否かに応じて、前記コンテンツを記録している最中における当該装置での割込み処理を禁止するか否かを制御する割込制御手段と、
を具備することを特徴とするコンテンツ処理装置。
【請求項４】
前記コンテンツ処理手段は、放送で配信されてくる番組の内容を記録する記録手段であることを特徴とする請求項３記載のコンテンツ処理装置。
【請求項５】
他の装置と通信を行う際に、他の装置からの着信による着信割込みを発生する通信手段を具備し、
前記割込制御手段は、前記通信手段による着信割込みを禁止するか否かを制御することを特徴とする請求項１あるいは３記載のコンテンツ処理装置。
【請求項６】
キー操作に応じてキー入力割込みを発生するキー入力手段を具備し、
前記割込制御手段は、前記キー入力手段によるキー入力割込みを禁止するか否かを制御することを特徴とする請求項１あるいは３記載のコンテンツ処理装置。
【請求項７】
コンピュータに、
コンテンツの再生処理を行う機能と、
再生対象となった前記コンテンツの記録ビットレートを判別する機能と、
判別された前記コンテンツの記憶ビットレートが所定ビットレート以上か否かに応じて、前記コンテンツの再生中における当該コンピュータでの割込み処理を禁止するか否かを制御する機能と、
を実現することを特徴とする割込み制御プログラム。
【請求項８】
コンピュータに、
コンテンツの記録処理を行う機能と、
前記コンテンツを記録する際の記録ビットレートを判別する機能と、
前記判別される記憶ビットレートが所定ビットレート以上か否かに応じて、前記コンテンツを記録している最中における当該コンピュータでの割込み処理を禁止するか否かを制御する機能と、
を実現することを特徴とする割込み制御プログラム。
【発明の詳細な説明】
【技術分野】
【０００１】
本発明は、コンテンツ処理装置および割込み制御プログラムに関する。
【背景技術】
【０００２】
近年、音楽再生や、動画再生、録画などの機能を備えた携帯電話が普及しつつある。該携帯電話では、音楽再生中に着信があった場合、その再生を停止して着信報知を行うようにした技術が知られている（例えば、特許文献１参照）。該従来技術では、着信が検出された時点での、再生経過時間や未再生時間などに応じて着信に対する処理（着信優先、再生優先）を変更するものであるが、その変更は、再生対象となるコンテンツの状況（種類や、再生時間、属性など）によらず、単純にそれまでの再生経過時間や、残り再生時間に応じた制御を行っている。
【特許文献１】特開２００２−２７１４５２号公報
【発明の開示】
【発明が解決しようとする課題】
【０００３】
ところで、再生対象のコンテンツには、着信割込みによって再生が停止（または一時停止）しても、さほど気にならないコンテンツ（例えば、ポップスや、歌謡曲など）もあれば、着信割込みによって停止していた場合、不快感を与えてしまうようなコンテンツ（例えば、クラシック音楽など）など、コンテンツ内容（ジャンル種）に応じて、再生中に着信割込みを行いたくないものもある。また、再生時間が長時間であるか短時間であるかが分かっているような場合、長時間再生の場合には、じっくりと聞きたいので、できれば着信割込みを行ってほしくないコンテンツもある。
【０００４】
しかしながら、上述した従来技術では、再生対象のコンテンツ内容（ジャンル種）や、再生時間などに関係なく、音楽データの再生中に着信が検出された場合、着信時における、それまでの再生経過時間、または残り再生時間に応じて着信に対する処理を制御しているため、コンテンツ内容や、再生時間によっては、再生中に着信が検出された場合、ユーザに不快感を与えてしまうという問題がある。
【０００５】
また、再生対象が音楽コンテンツではなく、動画コンテンツの場合も考えられるが、各種コンテンツは、画質の応じたビットレートで圧縮されている。再生時には、デコードを行いながら再生するので、コンテンツのビットレートが低い場合には、特に問題ないが、高ビットレートのコンテンツの場合には、その再生処理にかなりの負荷がかかる。このような高負荷の処理中に着信割込みなどがあると、再生のコマ落ちや、ノイズの原因になってしまうという問題がある。
【０００６】
このような高負荷の処理中に着信割込みを禁止するためには、ユーザがマニュアル設定で、電波受信しない設定（電波オフ）などを行う必要がある。しかしながら、一般のユーザにあっては、そのコンテンツが高ビットレートであるのか否かを意識していないため、このようなマニュアル設定を行うことすら気づかない。このことは、コンテンツ再生に限らず、デジタル放送を受信して、その番組を記録する場合に、その記録する際にビットレートを高くした場合（高画質）での、着信割込みについても同様の問題が生じる。
【０００７】
そこで本発明は、不用意な割込み処理を事前に防止することができ、コンテンツ処理を安定した状態で実行することができるコンテンツ処理装置および割込み制御プログラムを提供することを目的とする。
【課題を解決するための手段】
【０００８】
上記目的を達成するために、請求項１、７記載の発明は、コンテンツの再生処理を行うコンテンツ処理手段を具備するコンテンツ処理装置であって、再生対象となった前記コンテンツの記録ビットレートを判別する判別手段と、前記判別手段により判別された前記コンテンツの記憶ビットレートが所定ビットレート以上か否かに応じて、前記コンテンツの再生中における当該装置における割込みを禁止するか否かを制御する割込制御手段と、を具備することを特徴とする。
【０００９】
また請求項３、８記載の発明は、コンテンツの記録処理を行うコンテンツ処理手段を具備するコンテンツ処理装置であって、前記コンテンツを記録する際の記録ビットレートを判別する判別手段と、前記判別手段により判別される記憶ビットレートが所定ビットレート以上か否かに応じて、前記コンテンツを記録している最中における当該装置における割込みを禁止するか否かを制御する割込制御手段と、を具備することを特徴とする。
【発明の効果】
【００２２】
本発明によれば、コンテンツ処理中の不用意な割込み処理を防止することができ、コンテンツ処理を安定した状態で実行することができるという利点が得られる。
【発明を実施するための最良の形態】
【００２３】
以下、本発明の実施の形態を、図面を参照して説明する。
【００２４】
Ａ．第１実施形態の構成
図１は、本発明の第１実施形態による携帯電話の構成を示すブロック図である。図において、通信部１は、図示しない無線基地局を介して、発着信を制御して通話やデータ通信などを行う。テレビ受信部２は、アンテナによって受信された放送信号（ワンセグ）から、所望のチャンネルに対応したテレビ信号を受信するとともに、ラジオ放送を受信する。カメラ撮影部３は、光学系（レンズ等）を介してＣＣＤなどの撮像素子に結像した映像を取り込む。キー操作部４は、電話番号その他の情報を入力する入力部であり、携帯電話１００の電源をＯＮ／ＯＦＦするとき、各種アプリケーションを起動するとき、カメラ撮影部３による撮影を指示するときなど、ユーザが携帯電話に入力を与える際に使用する。
【００２５】
ＧＰＳ部５は、複数の人工衛星からの電波を受信し、その受信時間差に従って、自身の現在位置（緯度、経度など）を取得する。表示部７は、例えば、ＬＣＤ（Liquid Crystal Display）や有機ＥＬ（Electroluminescence）等で構成され、例えば、電源状態、電波強度、電池残量、サーバ接続状態もしくは未読メール等の動作状態、入力した電話番号、メール宛先、メール送信文書等や、動画および静止画、着信時の発呼者の電話番号、着信メール文書、接続されたインターネット画面等の受信データの表示、また、携帯電話１００の機能を利用するために必要な画面を表示する。
【００２６】
スピーカ８は、テレビ信号に含まれる音声データや、音楽データ、通話時における相手の音声などを出力する。マイク９は、通話時におけるユーザの音声を入力する。ＲＯＭ１０は、上記所定のプログラムや各種パラメータなどを記憶する。ＲＡＭ１１は、カメラ撮影部部３により撮影された撮影画像データや、通信部１によりネットワークを介してダウンロードされたり、パーソナルコンピュータなどから転送された音楽データや、動画データなど、テレビ受信部２により受信されたチャンネル番組を録画した録画データなどのコンテンツを記憶する。記録メディア１２は、例えば、着脱可能なｍｉｎｉＳＤカードなどからなり、上記ＲＡＭ１１と同様に管理され、各種コンテンツが記憶されてもよく、ＲＡＭ１１と同等に取り扱うことが可能である。
【００２７】
ＣＰＵ１３は、携帯電話１００の各部の動作を所定のプログラムに従って制御する。特に、本実施形態では、ＣＰＵ１３は、再生するコンテンツの内容（種類）や、再生するコンテンツの再生時間、再生または録画するコンテンツのビットレート（再生の際は、そのコンテンツの記録済みビットレート、記録の際は、その記録モードで選択されているビットレート）などに応じて、その時点の通信モードを一時的に退避して、コンテンツの再生中における着信割込みや、キー操作によるキー入力割込みを禁止するようになっている。
【００２８】
Ａ−１．第１実施形態の動作
次に、上述した第１実施形態による携帯電話のコンテンツ再生時の動作について説明する。ここで、図２および図３は、本第１実施形態による携帯電話１００のメイン動作を説明するためのフローチャートである。まず、ユーザに再生すべきコンテンツを選択させ（ステップＳ１０）、選択されたコンテンツのビットレートを取得する（ステップＳ１２）。次に、取得したビットレートが所定ビットレート以上であるか否かを判断する（ステップＳ１４）。
【００２９】
そして、選択されたコンテンツのビットレートが所定ビットレート以上でない場合には、コンテンツの再生開始が指示されると（ステップＳ１６）、コンテンツのデコード処理を開始し（ステップＳ２６）、コンテンツの再生を開始する（ステップＳ２８）。その後、後述するステップＳ３０以降へ進む。
【００３０】
一方、選択されたコンテンツのビットレートが所定ビットレート以上であった場合には、「通信オフモード対象」のメッセージを表示部７に表示し（ステップＳ１８）、コンテンツの再生開始が指示されると（ステップＳ２０）、現在の通信モードを一時退避させ（ステップＳ２２）、通信オフモードを選択し（ステップＳ２４）、着信割込みを禁止する。次に、コンテンツのデコード処理を開始し（ステップＳ２６）、コンテンツの再生を開始する（ステップＳ２８）。その後、ステップＳ３０以降へ進む。
【００３１】
コンテンツの再生中は、コンテンツ再生の一時停止指示の有無の判断（ステップＳ３０）、コンテンツ再生の終了指示の判断（ステップＳ３２）、コンテンツの再生終了の有無の判断（ステップＳ３４）を行う。そして、いずれの指示もない場合には、ステップＳ３０〜Ｓ３４を繰り返し行う。すなわち、コンテンツの再生を継続する。
【００３２】
コンテンツの再生中に、一時停止指示があると、コンテンツの再生を一時停止し（ステップＳ３６）、通信モードの一時退避があるか否かを判断する（ステップＳ３８）。そして、通信モードが一時退避されている場合には、退避した通信モードに復帰して着信割込みを有効とする（ステップＳ４０）。一方、通信モードが一時退避されていない場合には、通信モードを復帰することなく、次のステップに進む。
【００３３】
次に、コンテンツ再生の再開指示の有無の判断（ステップＳ４２）、コンテンツ再生の終了指示の判断（ステップＳ４４）を行う。いずれの指示もない場合には、ステップＳ４２、Ｓ４４を繰り返す。一方、コンテンツ再生が再開指示された場合には、前述したステップＳ２４に戻り、再び、現在の通信モードを一時退避した後、コンテンツの再生を再開する。
【００３４】
また、一時停止後に終了指示があった場合には、コンテンツのデコード処理を終了し（ステップＳ４６）、再生を終了する（ステップＳ４８）。その後、通信モードの一時退避があるか否かを判断し（ステップＳ５０）、通信モードが一時退避されている場合には、退避した通信モードを選択して着信割込みを有効とし（ステップＳ５２）、退避内容をクリアし（ステップＳ５４）、当該処理を終了する。一方、通信モードが一時退避されていない場合には、そのまま当該処理を終了する。
【００３５】
また、コンテンツ再生中において、終了指示があった場合（ステップＳ３２のＹＥＳ）、または再生が終了した場合（ステップＳ３４のＹＥＳ）には、上述したステップＳ４６に進み、同様に、コンテンツのデコード処理を終了し（ステップＳ４６）、再生を終了する（ステップＳ４８）。その後、通信モードが一時退避されている場合には、その通信モードを選択し（ステップＳ５２）、退避内容をクリアし（ステップＳ５４）、当該処理を終了する一方、通信モードが一時退避されていない場合には、そのまま当該処理を終了する。
【００３６】
上述した第１実施形態では、再生するコンテンツのビットレートが所定ビットレート以上である場合、すなわち、高ビットレートのコンテンツの場合には、その時点の通信モードを一時的に退避して、コンテンツの再生中における着信割込みを禁止するようにしたので、コンテンツ処理が高負荷になった場合でも、その高負荷処理を不安定にする要因である割込み処理を自動的に排除することで、コンテンツ処理を安定した状態で実行することができ、再生のコマ落ちや、ノイズ重畳などを防止することができる。
【００３７】
また、当該携帯電話のＲＡＭ１１、あるいは当該携帯電話に着脱可能に装着された記録メディア１２に記録されたコンテンツを再生可能することで、ＲＡＭ１１や記録メディア１２に記録された音楽データや動画データなどを再生する際に、コマ落ちや、ノイズ重畳などを防止することができる。
また、コンテンツのビットレートが所定ビットレート以上であるか否かを判別し、コンテンツのビットレートが所定ビットレート以上であると判別された場合、当該携帯電話における割込み処理を禁止するようにしたので、コンテンツ再生処理が高負荷になった場合でも、コンテンツ再生処理を安定した状態で実行することができ、再生時のコマ落ちや、ノイズ重畳などを防止することができる。
【００３８】
また、他の装置からの着信による着信割込みを発生する通信部１による着信割込みを禁止するようにしたので、コンテンツ再生処理を安定した状態で実行することができ、再生のコマ落ちや、ノイズ重畳などを防止することができる。
また、コンテンツ再生処理の終了後、割込み処理が禁止されている場合、該割込み処理の禁止を解除するようにしたので、コンテンツ再生処理が終了した場合、ユーザに操作負担をかけることなく、自動的に割込み処理を許可して通常の待受け動作に移行させることができる。
【００３９】
また、着信割込みの禁止として、通信部１による通信動作を停止して着信処理を行わせなくするか、あるいは通信部１により着信が検出された際の着信報知を停止して留守録動作を行うようにしたので、コンテンツ再生処理中に着信処理あるいは着信報知による着信割込みが発生しないので、コンテンツ再生処理を安定した状態で実行することができ、再生時のコマ落ちや、ノイズ重畳などを防止することができるとともに、コンテンツ再生中であっても、相手のメッセージを残すことができる。
また、コンテンツ再生処理の実行開始時、または一時停止状態にあるコンテンツ再生処理の実行再開時に、通信部１による着信割込みを禁止するようにしたので、コンテンツ処理を安定した状態で実行することができ、再生のコマ落ちや、ノイズ重畳などを防止することができる。
【００４０】
また、コンテンツの再生動作が停止しているときに、割込み処理が禁止されている場合、通信部１による着信割込みの禁止を解除するようにすれば、コンテンツの再生処理が終了した場合、ユーザに操作負担をかけることなく、自動的に割込み処理を許可して通常の待受け動作に移行することができる。
また、コンテンツ再生処理が終了したとき、あるいはコンテンツ再生処理が一時停止されたときに、通信部による着信割込みの禁止を解除するようにしたので、コンテンツ再生処理が終了したとき、あるいは一時停止しているとき、ユーザに操作負担をかけることなく、自動的に割込み処理を許可して通常の待受け動作に移行することができる。
【００４１】
Ｂ．第２実施形態
次に、本発明の第２実施形態について説明する。なお、携帯電話１００の構成については、図１と同様であるので説明を省略する。本第２実施形態では、再生するコンテンツの時間長、およびコンテンツ内容（ジャンル種）に応じて、自動的に着信報知を禁止することを特徴としている。
【００４２】
図４は、本第２実施形態による携帯電話のコンテンツ再生時の動作を説明するためのフローチャートである。まず、ユーザに再生すべきコンテンツを選択させ（ステップＳ６０）、選択されたコンテンツの時間長（再生時間）を取得する（ステップＳ６２）。次に、取得した時間長が所定時間以上であるか否かを判断する（ステップＳ６４）。そして、選択されたコンテンツの時間長が所定時間以上でない場合には、コンテンツのデコード処理を開始し（ステップＳ７６）、コンテンツの再生を開始する（ステップＳ７８）。その後、後述するステップＳ３０以降へ進む。
【００４３】
一方、選択されたコンテンツの時間長が所定時間以上であった場合には、当該コンテンツが所定のジャンル種（再生が途中で中断された場合に特に不快なジャンル：例えば、クラシックなど）であるか否かを判断する（ステップＳ６６）。そして、当該コンテンツがポップスなど、所定のジャンル種でない場合には、コンテンツのデコード処理を開始し（ステップＳ７６）、コンテンツの再生を開始する（ステップＳ７８）。その後、後述するステップＳ３０以降へ進む。
【００４４】
一方、当該コンテンツが所定のジャンル種（例えば、クラシック）である場合には、コンテンツの再生開始が指示されると（ステップＳ６８）、現在の通信モードを一時退避させ（ステップＳ７０）、着信報知を禁止し（ステップＳ７２）、留守録モードを選択する（ステップＳ７４）。次に、コンテンツのデコード処理を開始し（ステップＳ７６）、コンテンツの再生を開始する（ステップＳ７８）。
【００４５】
コンテンツの再生中は、コンテンツ再生の再生が終了したか否かを判断し（ステップＳ０）、再生が終了すると、デコード処理を終了し（ステップＳ８２）、再生を終了する（ステップＳ８４）。そして、一時退避した通信モードを選択し（ステップＳ８６）、着信報知を可能として当該処理を終了する。
【００４６】
次に、図５は、本第２実施形態による携帯電話での着信割込み時の動作を説明するためのフローチャートである。着信割込みが発生すると、まず、着信報知禁止に設定されているか否かを判断し（ステップＳ９０）、着信報知禁止に設定されていない場合、すなわち、コンテンツの時間長が所定時間長より短い、または、コンテンツ内容が所定のジャンル種でない、あるいは通常の待受け状態であった場合には、設定に応じて着信を報知する（ステップＳ９２）。一方、着信報知禁止に設定されている場合、すなわち、コンテンツの時間長が所定時間長より長く、かつ、コンテンツ内容が所定のジャンル種である場合には、着信を報知しない。
【００４７】
次に、着信報知の有無にかかわらず、留守録モードであるか否かを判断する（ステップＳ９４）。そして、留守録モードに設定されている場合、すなわち、通常の操作により留守録モードに設定された場合、あるいは、コンテンツの時間長が所定時間長より長く、かつ、コンテンツ内容が所定のジャンル種で、前述したステップＳ７４で留守録モードに設定されている場合には、自動的にオフフックし（ステップＳ９６）、所定のメッセージを出力し（ステップＳ９８）、相手の音声を録音する（ステップＳ１００）。そして、音声の録音が終了したか否かを判断し（ステップＳ１０２）、終了すると、当該処理を終了する。
【００４８】
一方、留守録モードに設定されていない場合、すなわち、通常の待受け状態であった場合、あるいはコンテンツの時間長が所定時間長より短い、または、コンテンツ内容が所定のジャンル種でない場合には、オフフック操作があったか否かを判断し（ステップＳ１０４）、オフフック操作がなく、相手が回線を切断した場合には、何もせずに当該処理を終了する。一方、オフフック操作があった場合には、回線を確立して通話を行う（ステップＳ１０６）。通話中は、通話が終了したか否かを判断し（ステップＳ１０８）、通話が終了すると、回線を切断して当該処理を終了する。
【００４９】
上述した第２実施形態では、再生するコンテンツの時間長が所定時間長より長く、かつ、コンテンツ内容が所定のジャンル種（例えば、クラシック音楽など）であった場合に、自動的に着信報知を禁止するようにしたので、特別な操作をユーザに行わせることなく、コンテンツ内容に応じて不用意な割込処理を事前に禁止することができ、コンテンツ処理を安定した状態で実行することができる。
【００５０】
また、当該携帯電話のＲＡＭ１１、あるいは当該携帯電話に着脱可能に装着された記録メディア１２に記録されたコンテンツを再生可能することで、ＲＡＭ１１や記録メディア１２に記録された音楽データや動画データなどを再生する際に、コマ落ちや、ノイズ重畳などを防止することができる。
【００５１】
また、他の装置からの着信による着信割込みを発生する通信部１による着信割込みを禁止するようにしたので、コンテンツ再生処理中であっても、割込み処理を自動的に排除することで、コンテンツ再生処理を安定した状態で実行することができ、再生時のコマ落ちや、ノイズ重畳などを防止することができる。
【００５２】
また、コンテンツ再生処理の終了後、割込み処理が禁止されている場合、該割込み処理の禁止を解除するようにしたので、コンテンツ再生処理が終了した場合、ユーザに操作負担をかけることなく、自動的に割込み処理を許可して通常の待受け動作に移行することができる。
【００５３】
また、コンテンツを再生した際の全体時間長が所定時間長以上であるか否かを判別し、全体時間長が所定時間長以上であると判別された場合に、通信部１による着信割込みを禁止するようにしたので、途中で再生を中断されたくないコンテンツの再生であっても、特別な操作をユーザに行わせることなく、コンテンツ内容に応じて不用意な割込処理を事前に禁止することができ、コンテンツ処理を安定した状態で実行することができる。
【００５４】
また、コンテンツのジャンル種別が所定のジャンル種別であると判別された場合に、通信部１による着信割込みを禁止するようにしたので、途中で再生を中断されたくないコンテンツ、例えば、音楽の場合にはクラシック音楽、動画の場合には特定のスポーツなどの再生であっても、特別な操作をユーザに行わせることなく、コンテンツ内容に応じて不用意な割込処理を事前に禁止することができ、コンテンツ再生処理を安定した状態で実行することができる。
【００５５】
また、着信割込みの禁止として、通信部１による通信動作を停止して着信処理を行わせなくするか、あるいは通信部１により着信が検出された際の着信報知を停止して留守録動作を行うようにしたので、コンテンツ再生処理中に着信処理あるいは着信報知による着信割込みが発生しないので、コンテンツ再生処理を安定した状態で実行することができ、再生時のコマ落ちや、ノイズ重畳などを防止することができるとともに、コンテンツ再生中であっても、相手のメッセージを残すことができる。
【００５６】
また、コンテンツ再生処理の実行開始時、または一時停止状態にあるコンテンツ再生処理の再開時に、通信部１による着信割込みを禁止するようにしたので、コンテンツ再生処理を安定した状態で実行することができ、再生のコマ落ちや、ノイズ重畳などを防止することができる。
【００５７】
また、コンテンツ再生処理が停止しているときに、割込み処理が禁止されている場合、通信部１による着信割込みの禁止を解除するようにすれば、コンテンツ再生処理が終了した場合、ユーザに操作負担をかけることなく、自動的に割込み処理を許可して通常の待受け動作に移行することができる。
【００５８】
また、コンテンツ再生処理が終了したとき、あるいはコンテンツ再生処理が一時停止されたときに、通信部１による着信割込みの禁止を解除するようにしたので、コンテンツ再生処理が終了したとき、あるいは一時停止しているとき、ユーザに操作負担をかけることなく、自動的に割込み処理を許可して通常の待受け動作に移行することができる。
【００５９】
Ｃ．第３実施形態
次に、本発明の第３実施形態について説明する。なお、携帯電話１００の構成については、図１と同様であるので説明を省略する。本第３実施形態は、テレビ放送を録画する際に、録画対象のコンテンツの圧縮率（ビットレート）が所定圧縮率以下（高ビットレート）である場合には、自動的に、その時点の通信モードを一時的に退避して、コンテンツの再生中における着信などの割込みや、キー操作を禁止することを特徴としている。
【００６０】
図６は、本第３実施形態による携帯電話のコンテンツ録画時の動作を説明するためのフローチャートである。まず、ユーザ操作により指定されたチャンネルの放送を受信し（ステップＳ１１０）、録画モード（圧縮率）をユーザにより選択させ（ステップＳ１１２）、選択された圧縮率が所定圧縮率以下（高ビットレート）であるか否かを判断する（ステップＳ１１４）。そして、選択された圧縮率が所定圧縮率以下（高ビットレート）でない場合、すなわち低ビットレートである場合には、受信チャンネルの録画処理を開始する（ステップＳ１２２）。その後、後述するステップＳ１２４以降へ進む。
【００６１】
一方、選択された圧縮率が所定圧縮率以下（高ビットレート）である場合、すなわち録画処理が高負荷である場合には、現在の通信モードを一時退避させる（ステップＳ１１６）。次に、通信オフモードを選択し（ステップＳ１１８）、キー操作を禁止する操作キーロックモード（終了キーを除く）を選択し（ステップＳ１２０）、受信チャンネルの録画処理を開始する（ステップＳ１２２）。
【００６２】
受信チャンネルの録画中は、録画終了操作があったか否かを判断し（ステップＳ１２４）、終了操作がなければ、受信チャンネルの録画を継続する。一方、録画終了操作があった場合には、受信チャネルの録画を終了する（ステップＳ１２６）。次に、通信モードの一時退避があるか否かを判断し（ステップＳ１２８）、通信モードが一時退避されている場合には、退避した通信モードを選択し（ステップＳ１３０）、退避内容をクリアし（ステップＳ１３２）、操作キーロックモードを解除し（ステップＳ１３４）、当該処理を終了する。一方、通信モードが一時退避されていない場合、すなわち、選択された圧縮率が所定圧縮率以下（高ビットレート）でない場合、すなわち低ビットレートである場合には、そのまま当該処理を終了する。
【００６３】
上述した第３実施形態では、録画対象のコンテンツの圧縮率（ビットレート）が所定圧縮率以下（高ビットレート）である場合には、自動的に、その時点の通信モードを一時的に退避して、コンテンツの録画中における着信などの割込みや、キー操作を禁止するようにしたので、録画処理が高負荷になった場合でも、その高負荷処理を不安定にする要因である割込み処理を自動的に排除することで、コンテンツ処理を安定した状態で実行することができ、録画時のコマ落ちや、ノイズ重畳などを防止することができる。
【００６４】
また、録画対象のコンテンツを記録するときの圧縮率（ビットレート）が所定ビットレート以上である場合、すなわち高画質での録画である場合、当該携帯電話における割込み処理を禁止するようにしたので、コンテンツ処理が高負荷になった場合でも、コンテンツ処理を安定した状態で実行することができ、再生のコマ落ちや、ノイズ重畳などを防止することができる。
【００６５】
また、他の装置からの着信による着信割込みを発生する通信部１による着信割込みを禁止するようにしたので、コンテンツの録画中であっても、コンテンツ処理を安定した状態で実行することができ、録画時のコマ落ちや、ノイズ重畳などを防止することができる。
【００６６】
また、録画対象のコンテンツを記録するときの圧縮率（ビットレート）が所定ビットレート以上である場合、すなわち高画質での録画である場合、キー操作部４が発生するキー入力割込みを禁止するようにしたので、コンテンツの録画中であっても、コンテンツ処理を安定した状態で実行することができ、録画時のコマ落ちや、ノイズ重畳などを防止することができる。
【００６７】
また、コンテンツ録画処理の終了後、割込み処理が禁止されている場合、該割込み処理の禁止を解除するようにしたので、コンテンツ録画処理が終了した場合、ユーザに操作負担をかけることなく、自動的に割込み処理を許可して通常の待受け動作に移行させることができる。
【００６８】
また、コンテンツ録画処理の実行開始時に、通信部１による着信割込みを禁止するようにしたので、コンテンツ録画中に着信処理あるいは着信報知による着信割込みが発生しないので、コンテンツ録画処理を安定した状態で実行することができ、録画時のコマ落ちや、ノイズ重畳などを防止することができる。
【００６９】
また、コンテンツ処理が終了したときに、通信部１による着信割込みの禁止を解除するようにしたので、コンテンツ録画処理が終了したとき、ユーザに操作負担をかけることなく、自動的に割込み処理を許可して通常の待受け動作に移行することができる。
【図面の簡単な説明】
【００７０】
【図１】本発明の第１実施形態による携帯電話の構成を示すブロック図である。
【図２】本第１実施形態による携帯電話１００のメイン動作を説明するためのフローチャートである。
【図３】本第１実施形態による携帯電話１００のメイン動作を説明するためのフローチャートである。
【図４】本第２実施形態による携帯電話のコンテンツ再生時の動作を説明するためのフローチャートである。
【図５】本第２実施形態による携帯電話での着信割込み時の動作を説明するためのフローチャートである。
【図６】本第３実施形態による携帯電話のコンテンツ録画時の動作を説明するためのフローチャートである。
【符号の説明】
【００７１】
１  通信部
２  テレビ受信部
３  カメラ撮影部
４  キー操作部
５  ＧＰＳ部
７  表示部
８  スピーカ
９  マイク
１０  ＲＯＭ
１１  ＲＡＭ
１２  記録メディア
１３  ＣＰＵ
１００  携帯電話
【図１】
0004569905.tif 000002
【図２】
0004569905.tif 000003
【図３】
0004569905.tif 000004
【図４】
0004569905.tif 000005
【図５】
0004569905.tif 000006
【図６】
0004569905.tif 000007